(57)【要約】【課題】利用者の装着が簡単で手入れが容易であること。【解決手段】手袋式生理測定装置に手袋本体を設け、手袋は手の甲の相対的区域に電気ソケットを設け、電気ソケットは生理測定装置に備える電気接続部品と電気接続する。手袋本体の指の相対的区域に開口部を設け、該開口部周辺に電気ソケットを設ける。開口部の内側はさらに生理センサーを設け、生理センサーに電気接続部品を設ける。電気接続部品は開口部周辺に備える電気ソケットと電気接続する。開口部は粘着ベルトにより、生理センサーを被せる。該生理センサーはさらに、電気回路により生理測定装置に連結する。【選択図】図２
0003124788.tif 000002
【実用新案登録請求の範囲】
【請求項１】
被測定者の手に装着するため、手袋本体を設け、
該手袋本体の手の甲および指の相対的区域に電気ソケットを設け、
該手の甲と指の場所に備える電気ソケットに電気回路を設け、
該手袋本体と指の相対的区域に一つ以上の開口部を設け、
生理センサーを設け、該生理センサーに電気接続部品を設け、手袋本体の手の甲に備える電気ソケットに挿入し、
生理センサーは開口部を設け、該生理センサーに電気接続部品を手袋本体の指の場所に備える電気ソケットに挿入し、電気回路により、生理測定装置と電気接続し、
開口部に備える生理センサーの場所によって、生理測定を行う、
手袋式生理測定装置。
【請求項２】
該手袋本体は指の相対的区域に合せて開口部を設け、様々な機能の生理センサーを設けることを特徴とする、請求項１記載の手袋式生理測定装置。
【請求項３】
該生理センサーは血中濃度測定するための光源出射装置と光源受信装置を設けることを特徴とする、請求項２記載の手袋式生理測定装置。
【請求項４】
該手袋本体に粘着部材を設け、生理測定装置の下部に粘着体を設け、該粘着体は粘着部材と締結することを特徴とする、請求項１記載の手袋式生理測定装置。
【請求項５】
手袋本体の開口部は粘着ベルトによって、生理センサーを固定することを特徴とする、請求項１記載の手袋式生理測定装置。
【考案の詳細な説明】
【技術分野】
【０００１】
本考案は一種の手袋式生理測定装置に関し、特に一種の生理測定装置と手袋本体と結合することにより、利用者に簡単な装着と手入れを提供できる、手袋式生理測定装置に関するものである。
【背景技術】
【０００２】
物質生活の向上に因んで健康も重視されるようになったため、人々は各種の測定装置を体の状況を随時に測定し、適切な調節または注意を図る。
良くみられる検査項目は、心拍数の測定である。
公知技術の装着式心拍数測定装置は、図１に示すとおり、主に手袋１００を設け、該手袋１００に固定式の測定装置１１０を設ける。測定装置１１０は心拍数を測定する。
該測定装置１１０はさらに、表示スクリーン１１１を設け、表示スクリーン１１１は心拍数を表示する。
該測定装置１１０は電源コード１１２を設け、電源コード１１２の他端に光源センサー１３０を設ける。該手袋１００の一端は指の相対的区域に延ばし、該区域に指サック１２０を取り付ける。
使用するとき、手袋１００を手に装着した後、指サック１２０を指にはめ込み、光源センサー１３０を指サック１２０に装着し、光源の屈折により心拍数を測定する。
【考案の開示】
【考案が解決しようとする課題】
【０００３】
しかしながら、光源センサー１３０を指サック１２０に挿入しなければならない。装着は極めて不便である。
また、測定装置１１０は手袋１００表面に固定されているため、手入れができない。使用の面は理想とは言えない。
【０００４】
本考案は前記した公知技術による装着と手入れ不便の欠点を改善するためになされたものである。
【課題を解決するための手段】
【０００５】
該装置に手袋本体を設け、手袋は手の甲の相対的区域に電気ソケットを設け、電気ソケットは生理測定装置に備える電気接続部品と電気接続する。該生理測定装置は体の生理現象の測定に用いる。さらに、手袋本体の指の相対的区域に開口部を設け、該開口部周辺に電気ソケットを設ける。開口部の内側はさらに生理センサーを設け、生理センサーに電気接続部品を設ける。電気接続部品は開口部周辺に備える電気ソケットと電気接続する。開口部は粘着ベルトにより、生理センサーを被せる。該生理センサーはさらに、電気回路により生理測定装置に連結する。この構造により、利用者の装着は簡単のほか、手入れも容易に行える、一種の手袋式生理測定装置を提供することを目的とする。
【０００６】
該装置に手袋本体を設け、手袋本体と手の甲の相対的区域に粘着部材を設け、該粘着部材に生理測定装置を張り付ける。該生理測定装置の下部に粘着体を設け、生理測定装置は接着体と粘着部材との締結により、手袋表面に固定する、一種の手袋式生理測定装置の提供を本考案のもう一つの目的とする。
【０００７】
該手袋本体は指の相対的区域に合せて開口部を設け、該開口部に光源出射装置と光源受信装置を取り付けて、血中濃度の測定に備える、一種の手袋式生理測定装置の提供を本考案のさらに一つの目的とする。
【０００８】
手袋本体は生理測定装置と生理センサーとの間に電気回路を設け、該電気回路は手袋本体の繊維と混合して編織できる、一種の手袋式生理測定装置の提供を本考案のさらなる一つの目的とする。
【考案を実施するための最良の形態】
【０００９】
本考案の課題を達成するための手段およびその効果について、好ましい実施例と図を合わせて、以下のとおり詳細説明する。
【実施例１】
【００１０】
図２、３に示すものは、本考案による手袋式生理測定装置である。該装置に手袋本体１０を設け、手袋本体１０はいずれの部材を使用しても良い。利用者の手に装着し、手袋本体１０は手の甲の相対的区域に電気ソケット１１を設ける。手袋本体１０に生理測定装置２０を設ける。
該生理測定装置２０は体の生理現象を測定する。該生理測定装置２０の表面に表示スクリーン２１を設け、該表示スクリーン２１は測定数値を表示する。該生理測定装置２０に電気接続部品２２を設け、該電気接続部品２２は電気ソケット１１に挿入して、電気接続する。
該手袋本体１０はいずれの指の相対的区域に開口部１２を設ける。本実施例において、人指し指の相対的区域に設ける。
該開口部１２の周りに電気ソケット１３を設け、電気ソケット１３の片側に粘着ベルト１４を設ける。
該粘着ベルト１４の他端は電気ソケット１３の別側に備える粘着区域１５に締結する。
該開口部１２に生理測定装置３０（本実施例において、光源センサーを設け、該光源センサーは体の脈拍を測定する。）を設け、該生理測定装置３０に電気接続部品３１を設け、該電気接続部品３１は開口部１２周りに備える電気ソケット１３に挿入し、電気接続する。開口部１２の粘着ベルト１４により、生理センサー３０を覆う。該生理センサー３０はさらに、手袋本体１０に備える電気回路１６および生理測定装置２０と電気接続する。
この構造により、利用者の装着は簡単のほか、手入れも容易に行える。
【００１１】
図４に示すとおり、該手袋本体１０は手のひらの相対的区域に粘着部材１８を設ける。本実施例において、手の甲に固定する粘着パッドまたはマジックファスナーを使用する。
生理測定装置２０の下部はさらに粘着体２３を設ける。本実施例において、粘着パッドまたはマジックファスナー（登録商標）を使用する。生理測定装置２０は粘着体２３と粘着部材１８の締結により、手袋本体１０の表面に固定する。
【実施例２】
【００１２】
図５に示すものは、本考案による実施例２である。
該手袋本体１０は指の相対的区域に合せて開口部１２を設け、該開口部１２に光源出射装置４０と光源受信装置５０を設ける。連結する生理測定装置２０は血中濃度測定器とする。
もしくは、手袋本体１０の開口部１２と他の指の相対的区域に開口部１７(本実施例において、薬指とする。)を設け、該開口部１７に体の生理現象を測定する生理センサー６０を設ける。組み合わせる生理測定装置２０は体温などの機能を備えても良い。
【００１３】
前記の構造により、本考案による手袋式生理測定装置の構造は単純、丈夫のほか、体の生理現象を精確に測定することにより、利用者に現時点の体の状況を随時に測定し、適切な調節と注意を提供できる。
【図面の簡単な説明】
【００１４】
【図１】先行装置の概略図である。
【図２】本考案の立面分解概略図である。
【図３】本考案の実施例１の立体概略図である。
【図４】本考案の実施例２の立体概略図である。
【図５】本考案の生理測定装置を手袋に装着したときの立面概略図である。
【符号の説明】
【００１５】
１０          手袋本体
１１、１３    電気ソケット
１２、１７    開口部
１４          粘着ベルト
１５          粘着区域
１６          電気回路
１８          粘着部材
２０          生理測定装置
２１          表示スクリーン
２２、３１    電気接続部品
３０、７０    生理センサー
２３          締結体
４０          光源出射装置
５０          光源受信装置
【図１】
0003124788.tif 000003
【図２】
0003124788.tif 000004
【図３】
0003124788.tif 000005
【図４】
0003124788.tif 000006
【図５】
0003124788.tif 000007